(57)【要約】  第１面と、第２面と、当該第１面及び当該第２面とをつなぐ第３面とを有する筺体と、前記筐体の前記第３面に配置されるタッチスクリーンと、前記筐体内に配置されるディスプレイであって、前記第１面で表示を行う第１表示領域及び前記第２面で表示を行う第２表示領域を有する少なくともひとつのディスプレイと、前記第３面の前記タッチスクリーンで第１操作が検出されると、当該第１操作に応じた画面を前記第１表示領域に表示し、前記第３面の前記タッチスクリーンで、前記第１操作と異なる第２操作が検出されると、当該第２操作に応じた画面を前記第２表示領域に表示するコントローラと、を備える装置。
2014129565.tif 000002
【特許請求の範囲】
【請求項１】
第１面と、第２面と、当該第１面及び当該第２面とをつなぐ第３面とを有する筐体と、前記筐体の前記第３面に配置されるタッチスクリーンと、前記筐体内に配置されるディスプレイであって、前記第１面で表示を行う第１表示領域及び前記第２面で表示を行う第２表示領域を有する少なくともひとつのディスプレイと、前記第３面の前記タッチスクリーンで第１操作が検出されると、当該第１操作に応じた画面を前記第１表示領域に表示し、前記第３面の前記タッチスクリーンで、前記第１操作と異なる第２操作が検出されると、当該第２操作に応じた画面を前記第２表示領域に表示するコントローラと、を備える装置。
【請求項２】
前記第１操作は、前記第３面から前記第１面に向かう第１ジェスチャ操作であって、
前記第２操作は、前記第３面から前記第２面に向かう第２ジェスチャ操作である、
請求項１記載の装置。
【請求項３】
前記第１操作と前記第２操作は、前記タッチスクリーン上の同一のアイコンへの操作である、
請求項１記載の装置。
【請求項４】
前記コントローラは、前記第３面の前記タッチスクリーンでのスワイプ操作に応じて、通話音量を変更する、請求項１記載の装置。
【請求項５】
前記ディスプレイは、1つの可撓性ディスプレイであって、
前記可撓性ディスプレイは、前記第１表示領域と前記第２表示領域を備える、請求項１記載の装置。
【請求項６】
第１面と、第２面と、当該第１面及び当該第２面とをつなぐ第３面とを有する筐体と、前記筐体内に配置される可撓性ディスプレイであって、前記第１面で表示を行う第１表示領域、前記第２面で表示を行う第２表示領域及び前記第３面で表示を行う第３表示領域を有するディスプレイと、姿勢を検出する姿勢検出部と、前記姿勢検出部よって検出された姿勢に応じて前記第３表示領域の表示を制御するコントローラと、を備える装置。
【請求項７】
物体に近接しているかを判断する近接センサをさらに備え、
前記コントローラは、前記姿勢検出部よって検出された姿勢が鉛直方向であり、かつ前記近接センサが物体に近接していると判断した場合、所定の情報を表示するよう前記第３表示領域を制御する
請求項６に記載の装置。
【請求項８】
前記姿勢検出部は、前記第１表示領域と前記第２表示領域のいずれか一方が前記第１表示領域と前記第２表示領域の他方より上方に位置するか検出し、
前記コントローラは、他方より上方に位置する、前記第１表示領域と前記第２表示領域の前記一方に、所定の情報を表示する、
請求項６に記載の装置。
【請求項９】
筐体と、
前記筐体に取り付けられるパネルであって、第１面と、第２面と、当該第１面及び当該第２面とをつなぐ第３面とを有するパネルと、
前記パネルに取り付けられるディスプレイであって、前記第１面で表示を行う第１表示領域、前記第２面で表示を行う第２表示領域及び前記第３面で表示を行う第３表示領域を有するディスプレイと、
前記ディスプレイに取り付けられる圧電素子と、を備え、
前記パネルは、前記圧電素子の変形に起因して変形し、当該パネルに接触する対象物に人体振動音を伝える
装置。
【発明の詳細な説明】
【技術分野】
【０００１】
本発明は、タッチスクリーンディスプレイを有する装置に関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。【０００３】
タッチスクリーンディスプレイを備える装置の基本的な動作は、装置に搭載されるＡｎｄｒｏｉｄ（登録商標）、ＢｌａｃｋＢｅｒｒｙ（登録商標） ＯＳ、Ｓｙｍｂｉａｎ（登録商標） ＯＳ、ｉＯＳ、Ｗｉｎｄｏｗｓ（登録商標） Ｐｈｏｎｅ等のＯＳ（Ｏｐｅｒａｔｉｎｇ Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、上記の装置では、操作性の向上が求められていた。【０００６】
本発明は、操作性が向上された装置を提供することを目的とする。
【課題を解決するための手段】
【０００７】
本発明の一態様に係る装置は、第１面と、第２面と、当該第１面及び当該第２面とをつなぐ第３面とを有する筐体と、前記筐体の前記第３面に配置されるタッチスクリーンと、前記筐体内に配置されるディスプレイであって、前記第１面で表示を行う第１表示領域及び前記第２面で表示を行う第２表示領域を有する少なくともひとつのディスプレイと、前記第３面の前記タッチスクリーンで第１操作が検出されると、当該第１操作に応じた画面を前記第１表示領域に表示し、前記第３面の前記タッチスクリーンで、前記第１操作と異なる第２操作が検出されると、当該第２操作に応じた画面を前記第２表示領域に表示するコントローラと、を備える。【０００８】
上記の一態様に係る装置において、前記第１操作は、前記第３面から前記第１面に向かう第１ジェスチャ操作であって、前記第２操作は、前記第３面から前記第２面に向かう第２ジェスチャ操作であってもよい。【０００９】
上記の一態様に係る装置において、前記第1操作と第２操作は、前記タッチスクリーン上の同一のアイコンへの操作であってもよい。【００１０】
上記の一態様に係る装置において、前記コントローラは、前記第３面の前記タッチスクリーンでのスワイプ操作に応じて、通話音量を変更してもよい。【００１１】
上記の一態様に係る装置において、前記ディスプレイは、1つの可撓性ディスプレイであってもよく、前記可撓性ディスプレイは、前記第１表示領域と第２の表示領域を備える。【００１２】
本発明の一態様に係る装置は、第１面と、第２面と、当該第１面及び当該第２面とをつなぐ第３面とを有する筐体と、前記筐体内に配置される可撓性ディスプレイであって、前記第１面で表示を行う第１表示領域、前記第２面で表示を行う第２表示領域及び前記第３面で表示を行う第３表示領域を有するディスプレイと、姿勢を検出する姿勢検出部と、前記姿勢検出部よって検出された姿勢に応じて前記第３表示領域の表示を制御するコントローラと、を備える。【００１３】
上記の一態様に係る装置は、物体に近接しているかを判断する近接センサを備えてもよく、前記コントローラは、前記姿勢検出部よって検出された姿勢が鉛直方向であり、かつ前記近接センサが物体に近接していると判断した場合、所定の情報を表示するよう前記第３表示領域を制御してもよい。【００１４】
上記の一態様に係る装置において、前記姿勢検出部は、前記第１表示領域と前記第２表示領域のいずれか一方が前記第１表示領域と前記第２表示領域の他方より上方に位置するか検出してもよく、前記コントローラは、他方より上方に位置する、前記第１表示領域と前記第２表示領域の前記一方に、所定の情報を表示してもよい。【００１５】
本発明の一態様に係る装置は、筐体と、前記筐体に取り付けられるパネルであって、第１面と、第２面と、当該第１面及び当該第２面とをつなぐ第３面とを有するパネルと、前記パネルに取り付けられるディスプレイであって、前記第１面で表示を行う第１表示領域、前記第２面で表示を行う第２表示領域及び前記第３面で表示を行う第３表示領域を有するディスプレイと、前記ディスプレイに取り付けられる圧電素子と、を備え、前記パネルは、前記圧電素子の変形に起因して変形し、当該パネルに接触する対象物に人体振動音を伝える。
【発明の効果】
【００１６】
本発明によれば、操作性が向上された装置を提供することができる。
【図面の簡単な説明】
【００１７】
【図１】図１は携帯電話の正面図である。
【図２】図２は携帯電話の背面図である。
【図３】図３は携帯電話の上面図である。
【図４】図４は携帯電話のIV−IV断面を模式的に示す断面図である。
【図５】図５は携帯電話のV−V断面を模式的に示す断面図である。
【図６】図６は実施形態に係る携帯電話のブロック図である。
【図７】図７Ａ, 図７Ｂ，図７Ｃはディスプレイの複数の表示領域における表示態様を示す図である。
【図８】図８Ａ，図８Ｂはディスプレイの複数の表示領域における表示制御の第１の例を示す図である。
【図９】図９Ａ，図９Ｂはディスプレイの複数の表示領域における表示制御の第２の例を示す図である。
【図１０】図１０Ａ，図１０Ｂはディスプレイの複数の表示領域における表示制御の第３の例を示す図である。
【図１１】図１１Ａ，図１１Ｂはディスプレイの複数の表示領域における表示制御の第４の例を示す図である。
【図１２】図１２Ａ，図１２Ｂは第３表示領域に対するジェスチャに応じた制御の第１の例を示す図である。
【図１３】図１３Ａ，図１３Ｂは第３表示領域に対するジェスチャに応じた制御の第２の例を示す図である。
【発明を実施するための形態】
【００１８】
本出願に係る装置を実施するための実施形態を、図面を参照しつつ詳細に説明する。以下では、１つの実施形態に係る装置の例として、携帯電話について説明する。
【００１９】
図１乃至図５を参照しながら、実施形態に係る携帯電話１の全体的な構成について説明する。図１は、携帯電話１の正面図である。図２は、携帯電話１の背面図である。図３は、携帯電話１の上面図である。図４は、携帯電話１のIV−IV断面を模式的に示す断面図である。図５は、携帯電話１のV−V断面を模式的に示す断面図である。
【００２０】
図１に示すように、携帯電話１は、正面（第１面）１Ａに、照度センサ４と、近接センサ５と、圧電素子７と、第１マイク８ａ及び第２マイク８ｂと、カメラ１２と、パネル２０ａと、タッチスクリーン２１とを備える。
【００２１】
図２に示すように、携帯電話１は、背面（第２面）１Ｂに、カメラ１４と、パネル２０ｂと、タッチスクリーン２２とを備える。
【００２２】
図３に示すように、携帯電話１は、上面（第３面）１Ｃに、パネル２０ｃと、タッチスクリーン２３とを備える。
【００２３】
図２に示すように、携帯電話１は、機器表面に大型のディスプレイを配設し、筐体４０の長手方向の両端部の対称な位置にマイクを有する構造上のデザインを有する。携帯電話１は、筐体４０の長手方向の第１マイク８ａ側の端部を上にした場合と筐体４０の長手方向の第２マイク８ｂ側の端部を上にした場合とで、ほぼ外観上の差異がない。
【００２４】
ディスプレイ２は、例えば、可撓性を有する有機ＥＬディスプレイ（ＯＥＬＤ：Ｏｒｇａｎｉｃ Ｅｌｅｃｔｒｏ−Ｌｕｍｉｎｅｓｃｅｎｃｅ Ｄｉｓｐｌａｙ）等の表示デバイスである。図４に示すように、ディスプレイ２は、筐体４０の内部に折り曲げられた状態で配置される。ディスプレイ２は、文字、画像、記号、及び図形等を表示する。ディスプレイ２は、第１表示領域２ａ、第２表示領域２ｂ及び第３表示領域２ｃを有する。ディスプレイ２は、後述するコントローラ１０の制御により、第１表示領域２ａ、第２表示領域２ｂ及び第３表示領域２ｃの各々に同じ情報或いは異なる情報を表示可能である。ディスプレイ２は、後述するコントローラ１０の制御により、第１表示領域２ａ、第２表示領域２ｂ及び第３表示領域２ｃの各々に情報を表示するか表示しないかが制御される。第１表示領域２ａに表示された内容は、パネル２０ａ及びタッチスクリーン２１を介して正面１Ａ側から視認可能である。第２表示領域２ｂに表示された内容は、パネル２０ｂ及びタッチスクリーン２２を介して背面１Ｂ側から視認可能である。第３表示領域２ｃに表示された内容は、パネル２０ｃ及びタッチスクリーン２３を介して上面１Ｃ側から視認可能である。
【００２５】
照度センサ４は、携帯電話１の周囲光の照度を検出する。照度は、光の強さ、明るさ、又は輝度を示す。照度センサ４は、例えば、ディスプレイ２の輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００２６】
圧電素子７は、電気信号（音信号に応じた電圧）が印加されると、構成材料の電気機械結合係数に従い伸縮又は屈曲する。すなわち、圧電素子７は、電気信号が印加されると変形する。圧電素子７は、パネル２０ａに取り付けられ、パネル２０ａを振動させるための振動源として用いられる。圧電素子７は、例えば、セラミック又は水晶を用いて形成される。圧電素子７は、ユニモルフ型、バイモルフ型、又は積層型圧電素子であってよい。積層型圧電素子には、バイモルフを積層した（例えば１６層又は２４層積層した）積層型バイモルフ素子が含まれる。積層型の圧電素子は、例えば、ＰＺＴ（チタン酸ジルコン酸鉛）からなる複数の誘電体層と、該複数の誘電体層間に配設された電極層との積層構造体から構成される。ユニモルフ型は、電気信号（電圧）が印加されると伸縮する。バイモルフ型は、電気信号（電圧）が印加されると屈曲する。
【００２７】
第１マイク８ａおよび第２マイク８ｂは、音入力部である。第１マイク８ａおよび第２マイク８ｂは、入力される音を電気信号へ変換してコントローラ１０へ送る。第１マイク８ａおよび第２マイク８ｂは、例えば、通話時に、ユーザから発せられる音声を集音（入力）する。
【００２８】
カメラ１２は、撮影した画像を電気信号へ変換してコントローラ１０へ送る。カメラ１２には、例えば、ディスプレイ２に面している物体を撮影するインカメラ、ディスプレイ２の反対側の面に面している物体を撮影するアウトカメラが含まれる。
【００２９】
パネル２０ａは、圧電素子７の変形（伸縮又は屈曲）にともなって振動し、利用者がパネル２０ａに接触させる耳の軟骨（耳介軟骨）等にその振動を伝える。パネル２０ａは、例えば、ガラス、又はアクリル等の合成樹脂により形成される。パネル２０ａの形状は、例えば、板状である。パネル２０ａは、平板であってよい。パネル２０ａは、表面が滑らかに湾曲する曲面パネルであってもよい。パネル２０ａは、バッテリリッドであってもよい。バッテリリッドは、筐体４０に取り付けられ、バッテリを覆う部材である。圧電素子７が筐体４０の角部（例えば四隅の少なくとも一か所）を振動させる構成であっても良い。この場合、圧電素子７は、筐体４０の角部の内面に取り付けられる構成でもよいし、中間部材をさらに備え、圧電素子７の振動が中間部材を介して筐体４０の角部に伝達される構成でもよい。この構成によれば、振動する範囲を比較的狭くできるため、振動により発生する気導音が周囲に漏れにくい。また、この構成によれば、例えば利用者が筐体４０の角部を外耳道に挿入した状態で気導音と振動音とが利用者に伝わるため、周囲のノイズが利用者の外耳道に入りにくい。そのため、利用者に伝わる音の品質を向上することができる。
【００３０】
パネル２０ａの背面には、接合部材３０により、ディスプレイ２と、圧電素子７とが取り付けられる（図５参照）。圧電素子７は、パネル２０ａの背面に配置された状態で、筐体４０の内表面と所定の距離だけ離間している。圧電素子７は、伸縮または屈曲した状態でも、筐体４０の内表面と離間しているとよい。すなわち、圧電素子７と筐体４０の内表面との間の距離は、圧電素子７の最大変形量よりも大きいとよい。圧電素子７は、補強部材（例えば、板金又はガラス繊維強化樹脂）を介してパネル２０ａに取り付けられてもよい。接合部材３０は、例えば、両面テープ、又は熱硬化性あるいは紫外線硬化性等を有する接着剤である。接合部材３０は、無色透明のアクリル系紫外線硬化型接着剤である光学弾性樹脂でもよい。
【００３１】
圧電素子７は、パネル２０ａの短手方向の端部から所定の距離だけ離間した近傍に、圧電素子７の長手方向がパネル２０ａの長手方向と平行になるように配設される（図１参照）。圧電素子７の長手方向の中心は、パネル２０ａの長手方向における中心を通りパネル２０ａの短手方向に平行な直線上に位置する。
【００３２】
なお、本実施例において、圧電素子７は、ディスプレイ２の裏面の領域７ａ、７ｂ、７ｃの其々に取り付けられていても良く、或いは、領域７ａ、７ｂ、７ｃの内の１箇所或いは２箇所に取り付けられていても良い。圧電素子７が取り付けられたディスプレイ２は、圧電素子７の伸縮または屈曲に合わせて変形する。また、ディスプレイ２が取り付けられたパネル２０も、ディスプレイ２の変形に合わせて変形する。このとき、利用者が体の一部（耳介軟骨）をパネル２０に接触させると、パネル２０は、体の一部を介して利用者に伝導する振動音（人体振動音）を発生させる。圧電素子７が領域７ａに取り付けられている場合、圧電素子７の変形により生じる振動がディスプレイ２を介してパネル２０ａに伝わり、該パネル２０ａが変形する。パネル２０ａは、携帯電話１の正面と略同じ大きさを有しているため、例えば、利用者の耳よりも大きな領域においてパネル２０の振動を発生させることが容易にできる。圧電素子７が領域７ｂに取り付けられている場合、圧電素子７の変形により生じる振動がディスプレイ２を介してパネル２０ｂに伝わり、該パネル２０ｂが変形する。パネル２０ｂは、パネル２０ａの略半分の大きさを有しており、圧電素子７を領域７ａに取り付ける場合と比較して、圧電素子７の変形に起因して振動するパネル２０の領域を小さくすることができ、音漏れを低減することができる。圧電素子７が領域７ｃに取り付けられている場合、圧電素子７の変形により生じる振動がディスプレイ２を介してパネル２０ｃに伝わり、該パネル２０ｃが変形する。このとき、ディスプレイ２の領域７ｃとつながる領域７ａ、7ｂの双方にも、圧電素子７の振動が伝搬するため、パネル２０ａ、２０ｂも併せて変形する。従って、利用者は、携帯電話１の正面と背面の何れの面に耳を当てることによっても、音を聞くことができる。また、圧電素子７は、パネル２０ｂ、２０ｃの背面における、ディスプレイ２が取り付けられていない領域に取り付けられていても良い。
【００３３】
タッチスクリーン（タッチセンサ）２１は、ディスプレイ２に重ねて配設される。タッチスクリーン２１は、接触を検出する。コントローラ１０（携帯電話１）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０は、タッチスクリーン２１と協働することによって、ディスプレイ２０の表面におけるユーザの操作（ジェスチャ）を検出する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。図１に示すように、ディスプレイ２と、タッチスクリーン２１とは機能的には分離したものであるが、物理的にはタッチスクリーンディスプレイとして統合されていてよい。
【００３４】
タッチスクリーン２１により検出される接触には、パネル２０ａに対する耳介の接触等が含まれる。
【００３５】
タッチスクリーン２２は、携帯電話１の背面１Ｂに配設される。本実施形態において、タッチスクリーン２２は、タッチスクリーン２１の約半分の大きさを有する。タッチスクリーン２３は、携帯電話１の上面１Ｃに配設される。
【００３６】
タッチスクリーン２２は、背面に対する接触を検出し、タッチスクリーン２３は上面に対する接触を検出する。タッチスクリーン２２又はタッチスクリーン２３の検出結果は、指、ペン、又はスタイラスペン等による利用者の接触操作を検出するために用いられる。タッチスクリーン２２又はタッチスクリーン２３を用いて検出される接触に基づいて判定される操作（ジェスチャ）は、例えば、タッチ、ロングタッチ、リリース、スワイプ、タップ、ダブルタップ、ロングタップ、ドラッグ、フリック、ピンチイン、及びピンチアウトを含むがこれらに限定されない。タッチスクリーン２２又はタッチスクリーン２３の検出方式は、静電容量方式、抵抗膜方式、表面弾性波方式（又は超音波方式）、赤外線方式、電磁誘導方式、及び荷重検出方式等の任意の方式でよい。タッチスクリーン２２又はタッチスクリーン２３の検出方式は、タッチスクリーン２１の検出方式と異なってもよい。
【００３７】
筐体４０は、樹脂又は金属を用いて形成される。筐体４０は、ディスプレイ２、照度センサ４、近接センサ５、第１マイク８ａ、第２マイク８ｂ、カメラ１２、およびパネル２０ａ等を支持する。
【００３８】
圧電素子７には、出力する音に応じた電気信号が印加される。圧電素子７には、例えば、外耳道を介する気導音によって音を伝える所謂パネルスピーカの印加電圧である±５Ｖよりも高い、±１５Ｖが印加されてもよい。これにより、利用者が、例えば、３Ｎ以上の力（５Ｎ〜１０Ｎの力）でパネル２０ａに自身の体の一部を押し付けた場合であっても、圧電素子７は、パネル２０ａに十分な振動を発生させ、利用者の体の一部を介して伝わる振動音を発生させることができる。圧電素子７に印加される電圧は、パネル２０ａの筐体４０に対する固定強度、又は圧電素子７の性能等に応じて適宜調整可能である。
【００３９】
電気信号が印加されると、圧電素子７は長手方向に伸縮又は屈曲する。圧電素子７が取り付けられたパネル２０ａは、圧電素子７の伸縮又は屈曲に合わせて変形する。これにより、パネル２０ａは、振動し、気導音を発生させる。さらに、利用者が体の一部（例えば、耳介軟骨）をパネル２０ａに接触させた場合、パネル２０ａは、体の一部を介して利用者に伝導する振動音を発生させる。すなわち、パネル２０ａは、圧電素子７の変形にともなって、パネル２０ａに接触する物体に対して振動音として知覚される周波数で振動する。
【００４０】
例えば、圧電素子７に、通話の相手の音声、又は着信音、音楽等の音データに応じた電気信号が印加されると、パネル２０ａは、電気信号に対応する気導音及び振動音を発生させる。圧電素子７及びパネル２０ａを介して出力される音信号は、後述するストレージ９に記憶されている音データに基づくものであってよい。圧電素子７及びパネル２０ａを介して出力される音信号は、外部のサーバ等に記憶され、後述する通信ユニット６によりネットワークを介して取得される音データに基づくものであってもよい。
【００４１】
本実施形態において、パネル２０ａは、利用者の耳とほぼ同じ大きさであってよい。また、パネル２０ａは、利用者の耳よりも大きなサイズであってもよい。この場合、利用者は、音を聞くときに耳の外周部のほぼ全体をパネル２０ａに接触させることができる。このようにして音を聞くことにより、周囲音（ノイズ）が外耳道に入り難くなる。本実施形態では、少なくとも、パネル２０ａは、人間の対耳輪下脚（下対輪脚）から対耳珠までの間の距離に相当する長手方向（又は短手方向）の長さと、耳珠から対耳輪までの間の距離に相当する短手方向（又は長手方向）の長さとを有する領域よりも広い領域が振動する。パネル２０ａは、耳輪における対耳輪上脚（上対輪脚）近傍の部位から耳垂までの間の距離に相当する長手方向（又は短手方向）の長さと、耳珠から耳輪における対耳輪近傍の部位までの間の距離に相当する短手方向（又は長手方向）の長さを有する領域が振動してもよい。上記の長さおよび幅を有する領域は、長方形状の領域であってもよいし、上記の長手方向の長さを長径、上記の短手方向の長さを短径とする楕円形状であってもよい。人間の耳の平均的な大きさは、例えば、社団法人 人間生活工学研究センター（ＨＱＬ）作成の日本人の人体寸法データベース（１９９２−１９９４）等を参照すれば知ることができる。
【００４２】
パネル２０ａは、圧電素子７が取り付けられた取付領域２０ａだけでなく、取付領域２０ａから離れた領域も振動する。パネル２０ａは、振動する領域において、当該パネル２０ａの主面と交差する方向に振動する箇所を複数有し、当該複数の箇所の各々において、振動の振幅の値が、時間とともにプラスからマイナスに、あるいはその逆に変化する。パネル２０ａは、それぞれの瞬間において、振動の振幅が相対的に大きい部分と振動の振幅が相対的に小さい部分とがパネル２０ａの略全体に一見ランダム又は規則的に分布した振動をする。すなわち、パネル２０ａ全域にわたって、複数の波の振動が検出される。上記のように圧電素子７に対して印加される電圧が±１５Ｖであれば、利用者が例えば５Ｎ〜１０Ｎの力で自身の体にパネル２０ａを押し付けた場合であっても、パネル２０ａの上述した振動は減衰しにくい。このため、利用者は、パネル２０ａ上の取付領域２０ａから離れた領域に耳を接触させても、振動音を聞くことができる。
【００４３】
携帯電話１は、パネル２０ａの振動により、気導音と、利用者の体の一部（例えば耳介軟骨）を介する振動音とを利用者に伝えることができる。そのため、携帯電話１は、ダイナミックレシーバと同等の音量の音を出力する場合、空気の振動により携帯電話１の周囲へ伝わる音を、ダイナミックスピーカのみを有する電子機器と比較して、少なくすることができる。このような特徴は、例えば、録音されたメッセージを電車内のような近くに他人がいる場所で聞く場合等に好適である。
【００４４】
さらに、携帯電話１は、パネル２０ａの振動により利用者に振動音を伝える。そのため、利用者は、イヤホン又はヘッドホンを身につけていても、それらに携帯電話１を接触させることで、イヤホン又はヘッドホン及び体の一部を介して、パネル２０ａの振動による振動音を聞くことができる。
【００４５】
さらに、携帯電話１は、パネル２０ａの振動により音を伝える。そのため、携帯電話１が別途ダイナミックレシーバを備えない場合、パネル２０ａが発する音を外部に伝えるための開口部（放音口）を筐体４０に形成する必要がない。このため、防水構造を実現する場合に、構造を簡略化することができる。携帯電話１は、ダイナミックスピーカの放音口等の開口部を筐体４０に形成する必要がある場合、防水構造を実現するために、気体は通すが液体は通さない部材によって開口部を閉塞する構造を採用してもよい。気体は通すが液体は通さない部材は、例えば、ゴアテックス（登録商標）である。
【００４６】
携帯電話１は、例えば、ダイナミックスピーカなどのスピーカを有してもよい。
【００４７】
以下の説明では、圧電素子７及びパネル２０ａの組み合わせを振動レシーバと呼ぶことがある。
【００４８】
図６を参照しながら、携帯電話１の機能的な構成について説明する。図６は、実施形態に係る携帯電話１のブロック図である。図６に示すように、携帯電話１は、ディスプレイ２と、照度センサ４と、近接センサ５と、通信ユニット６と、圧電素子７と、第１マイク８ａと、第２マイク８ｂと、ストレージ９と、コントローラ１０と、カメラ１２と、圧電素子７及びパネル２０ａを含む振動レシーバ１３と、姿勢検出ユニット１５と、バイブレータ１８と、タッチスクリーン２１とを備える。
【００４９】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ Ｔｅｒｍ Ｅｖｏｌｕｔｉｏｎ）、Ｗ−ＣＤＭＡ（Ｗｉｄｅｂａｎｄ ＣｏｄｅＤｉｖｉｓｉｏｎ Ｍｕｌｔｉｐｌｅ Ａｃｃｅｓｓ）、ＣＤＭＡ２０００、ＰＤＣ（Ｐｅｒｓｏｎａｌ Ｄｉｇｉｔａｌ Ｃｅｌｌｕｌａｒ）、ＧＳＭ（登録商標）（Ｇｌｏｂａｌ Ｓｙｓｔｅｍ ｆｏｒ Ｍｏｂｉｌｅ Ｃｏｍｍｕｎｉｃａｔｉｏｎｓ）、ＰＨＳ（Ｐｅｒｓｏｎａｌ Ｈａｎｄｙ−ｐｈｏｎｅ Ｓｙｓｔｅｍ）等がある。無線通信規格として、さらに、例えば、ＷｉＭＡＸ（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ Ｄａｔａ Ａｓｓｏｃｉａｔｉｏｎ）、ＮＦＣ（Ｎｅａｒ Ｆｉｅｌｄ Ｃｏｍｍｕｎｉｃａｔｉｏｎ）等がある。通信ユニット６は、上述した通信規格の１つ又は複数をサポートしていてもよい。
【００５０】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ Ａｃｃｅｓｓ Ｍｅｍｏｒｙ）等の一時的な記憶領域として利用される記憶デバイスを含んでよい。
【００５１】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００５２】
ストレージ９は、例えば、制御プログラム９Ａ、通話アプリケーション９Ｂ、音楽再生アプリケーション９Ｃ、動画再生アプリケーション９Ｄ、及び設定データ９Ｚを記憶する。通話アプリケーション９Ｂは、無線通信による通話のための通話機能を提供する。音楽再生アプリケーション９Ｃは、音楽データから音を再生するための音楽再生機能を提供する。動画再生アプリケーション９Ｄは、動画データから動画及び音を再生するための動画再生機能を提供する。設定データ９Ｚは、携帯電話１の動作に関連する各種の設定及び処理に関する情報を含む。
【００５３】
通話アプリケーション９Ｂが提供する機能による音（例えば、通話音声）は、振動レシーバ１３から出力される。
【００５４】
制御プログラム９Ａは、携帯電話１を稼働させるための各種制御に関する機能を提供する。制御プログラム９Ａは、例えば、通信ユニット６、圧電素子７、第１マイク８ａ及び第２マイク８ｂ等を制御することによって、通話を実現させる。制御プログラム９Ａが提供する機能は、通話アプリケーション９Ｂ等の他のプログラムが提供する機能と組み合わせて利用されることがある。
【００５５】
制御プログラム９Ａが提供する機能には、通話時に、第１マイク８ａ及び第２マイク８ｂのいずれを使用するかを決定する機能が含まれる。例えば、制御プログラム９Ａは、通話時に、姿勢検出ユニット１５による検出結果に基づいて、第１マイク８ａ及び第２マイク８ｂのいずれを使用するかを決定する機能が含まれる。
【００５６】
コントローラ１０は、演算処理装置である。演算処理装置は、例えば、ＣＰＵ（Ｃｅｎｔｒａｌ Ｐｒｏｃｅｓｓｉｎｇ Ｕｎｉｔ）、ＳｏＣ（Ｓｙｓｔｅｍ−ｏｎ−ａ−ｃｈｉｐ）、ＭＣＵ（Ｍｉｃｒｏ Ｃｏｎｔｒｏｌ Ｕｎｉｔ）、及びＦＰＧＡ（Ｆｉｅｌｄ−Ｐｒｏｇｒａｍｍａｂｌｅ Ｇａｔｅ Ａｒｒａｙ）を含むが、これらに限定されない。コントローラ１０は、携帯電話１の動作を統括的に制御して各種の機能を実現する。
【００５７】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２、通信ユニット６、圧電素子７、第１マイク８ａ、第２マイク８ｂ及びバイブレータ１８を含むが、これらに限定されない。コントローラ１０は、検出部の検出結果に応じて、制御を変更することがある。検出部は、例えば、照度センサ４、近接センサ５、カメラ１２、姿勢検出ユニット１５及びタッチスクリーン２１を含むが、これらに限定されない。
【００５８】
コントローラ１０は、例えば、制御プログラム９Ａを実行することにより、通話時に、第１マイク８ａ及び第２マイク８ｂのいずれを使用するかを決定する処理を実行する。例えば、コントローラ１０は、通話時に、姿勢検出ユニット１５による検出結果に基づいて、第１マイク８ａ及び第２マイク８ｂのいずれを使用するかを決定する。
【００５９】
振動レシーバ１３は、例えば、通話音声に対応する気導音と振動音を発生させ、ユーザに伝達する。
【００６０】
姿勢検出ユニット１５は、携帯電話１の姿勢を検出する。姿勢検出ユニット１５は、姿勢を検出するために、加速度センサ、方位センサ、及びジャイロスコープの少なくとも１つを備える。姿勢検出ユニット１５は、例えば、加速度センサ、方位センサ、及びジャイロスコープの検出結果に基づいて、例えば、重力加速度（ｇ）に対して携帯電話１の筐体４０がなす角度（θ）を計測し、コントローラ１０に送る。
【００６１】
バイブレータ１８は、携帯電話１の一部又は全体を振動させる。バイブレータ１８は、振動を発生させるために、例えば、圧電素子、又は偏心モータを有する。バイブレータ１８による振動は、着信等の各種のイベントを利用者に報知するために用いられる。
【００６２】
図６においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００６３】
図６に示した携帯電話１の構成は例であり、本発明の要旨を損なわない範囲において適宜変更してよい。例えば、携帯電話１は、操作のためのボタンとして、テンキー配列又はＱＷＥＲＴＹ配列等のボタンを備えていてもよい。
【００６４】
＜表示制御＞
図７から図１３を参照しながら、携帯電話１の表示動作について説明する。図７は、ディスプレイ２の複数の表示領域における表示態様を示す図である。
【００６５】
携帯電話１は、所定の情報を、ディスプレイ２の第１表示領域２ａ、第２表示領域２ｂ及び第３表示領域３ｃのいずれに表示するかを、照度センサ４の検出結果、近接センサ５の検出結果及び姿勢検出ユニット１５の検出結果に基づいて切り替えることが可能である。具体的には、コントローラ１０は、照度センサ４の検出結果、近接センサ５の検出結果及び姿勢検出ユニット１５が検出した携帯電話１の姿勢に基づいて、ディスプレイ２の第１表示領域２ａ、第２表示領域２ｂ及び第３表示領域３ｃの各々の表示を制御する。
【００６６】
例えば、姿勢検出ユニット１５により携帯電話１の正面１Ａ又は背面１Ｂが鉛直方向に沿うような姿勢であることが検出され、かつ近接センサ５により携帯電話１に物体が近接していることが検出された場合には、図７Ａに示すように、携帯電話１は、所定の情報（ここでは日時に関する情報）を第３表示領域３ｃに表示する。この制御により、例えばユーザが直立した状態で携帯電話１を胸ポケットに入れているような場合に、ユーザは、携帯電話１を胸ポケットから取り出すことなく日時に関する情報を確認することができる。
【００６７】
また、携帯電話１は、例えば、姿勢検出ユニット１５により、第１表示領域２ａ及び第２表示領域２ｂのいずれが相対的に上方に位置するかを検出し、当該検出結果に基づいて、相対的に上方に位置する一方の表示領域に日時に関する情報を表示させることもできる。すなわち、第１表示領域２ａが第２表示領域２ｂよりも上方に位置する場合には、図７Ｂに示すように、携帯電話１は、第１表示領域２ａに日時の情報を表示し、第２表示領域２ｂが第１表示領域２ａよりも上方に位置する場合には、図７Ｃに示すように、第２表示領域２ｂに日時の情報を表示する。
【００６８】
尚、所定の情報を一つの表示領域に表示している場合には、他の表示領域における情報の表示を行わなくともよい。ユーザが見る可能性の低い表示領域への情報の表示を行わないことで、携帯電話１において消費される電力を削減することができる。
【００６９】
上記の説明では、コントローラ１０が、照度センサ４の検出結果、近接センサ５の検出結果及び姿勢検出ユニット１５が検出した携帯電話１の姿勢に基づいて、ディスプレイ２の複数の表示領域のうちいずれの表示領域に情報の表示を行うかを制御する例を示したが、これに限定されない。コントローラ１０は、カメラ１２又はカメラ１４の撮像する画像に基づいて携帯電話１がどのような状態にあるかを判定し、当該判定結果に基づいてディスプレイ２の複数の表示領域のうちいずれの表示領域に情報の表示を行うかを制御してもよいし、また、コントローラ１０は、上述した照度センサ４、近接センサ５及び姿勢検出ユニット１５の検出結果と併せて携帯電話１がどのような状態にあるかを判定してもよい。携帯電話１は、姿勢検出ユニット１５により第２表示領域２ｂが第１表示領域２ａよりも上方に位置することが検出されても、カメラ１２によりユーザの顔が検出されれば、相対的に下方に位置する第１表示領域２ａに情報を表示しても良い。これにより、例えばユーザが寝そべった状態で携帯電話１を操作している場合に、ユーザが見ている第１表示領域２ａに情報が表示されるため、ユーザが不便を感じることがない。携帯電話１の側面にタッチセンサ（不図示）を配設し、タッチセンサによる接触の検出結果を判定基準に加えても良い。
【００７０】
携帯電話１は、コントローラ１０の制御により、ディスプレイ２の第１表示領域２ａ、第２表示領域２ｂ及び第３表示領域２ｃの各々に同じ情報或いは異なる情報を同時に表示することも可能である。この場合の携帯電話１の表示制御について、図８から図１１を用いて説明する。
【００７１】
図８は、ディスプレイ２の複数の表示領域における表示制御の第１の例を示す図である。図８Ａは、携帯電話１の上面１Ｃに設けられた第３表示領域２ｃを上から見た図である。図８Ａでは、図面の上側が背面１Ｂ側、図面の下側が正面１Ａ側である。以降、特に説明しない限り、第３表示領域３ｃを示す図における正面１Ａと背面１Ｂとの位置関係は図８Ａと同じものとする。
【００７２】
図８Ａに示すように、第３表示領域２ｃの右側の端部には、封筒の絵及び数字の１から成るメールアイコンが表示されている。このメールアイコンは、未読メールが１件あることを示している。第３表示領域２ｃは、インジケータ領域として用いられる。そして、ユーザが、第３表示領域２ｃに表示されたメールアイコンに対して、指で上面１Ｃを起点として正面１Ａに向かう方向（図の矢印の方向）にフリックを行っている。
【００７３】
図８Ｂは、図８Ａのようにメールアイコンに対するフリックが行われる前後での、第１表示領域２ａに表示される画面の遷移を示す図である。フリックが行われる前、第１表示領域２ａには、図８Ｂ左図に示すように、ホーム画面が表示されている。そして、フリックが行われると、図８Ｂ右図に示すように、第１表示領域２ａには、未読メールの内容が表示される。
【００７４】
図８Ａ及び図８Ｂに示す表示制御について詳述する。まず、携帯電話１のコントローラ１０は、第１表示領域２ａにホーム画面を表示している。そして、コントローラ１０は、携帯電話１の上面１Ｃに設けられたタッチスクリーン２３を介して、第３表示領域２ｃに表示されたメールアイコンに対する、上面１Ｃから正面１Ａへ向かう方向のフリックを検出する。コントローラ１０は、メールアイコンに対する、上面１Ｃから正面１Ａへ向かう方向のフリックを検出すると、携帯電話１の正面１Ａ側の第１表示領域２ａに、メールアイコンに対応する情報である未読メールの内容を表示する。
【００７５】
図９は、ディスプレイ２の複数の表示領域における表示制御の第２の例を示す図である。図９Ａに示すように、第３表示領域２ｃには、図８Ａと同様に、未読メールが１件あることを示すメールアイコンが表示されている。そして、ユーザが、第３表示領域２ｃに表示されたメールアイコンに対して、指で上面１Ｃを起点として背面１Ｂに向かう方向（図の矢印の方向）にフリックを行っている。図９Ａに示すフリックの方向は、図８Ａに示すフリックの方向と反対の方向である。
【００７６】
図９Ｂは、図９Ａのようにメールアイコンに対するフリックが行われる前後での、第２表示領域２ｂに表示される画面の遷移を示す図である。フリックが行われる前、第２表示領域２ｂには、図９Ｂ左図に示すように、特に何も表示されていない。そして、フリックが行われると、図９Ｂ右図に示すように、第２表示領域２ｂには、未読メールの内容が表示される。
【００７７】
図９Ａ及び図９Ｂに示す表示制御について詳述する。携帯電話１のコントローラ１０は、携帯電話１の上面１Ｃに設けられたタッチスクリーン２３を介して、第３表示領域２ｃに表示されたメールアイコンに対する、上面１Ｃから背面１Ｂへ向かう方向のフリックを検出する。コントローラ１０は、メールアイコンに対する、上面１Ｃから背面１Ｂへ向かう方向のフリックを検出すると、携帯電話１の背面１Ｂ側の第２表示領域２ｂに、メールアイコンに対応する情報である未読メールの内容を表示する。
【００７８】
尚、上述したように、第２表示領域２ｂは第１表示領域２ａよりも面積が小さい。したがって、コントローラ１０は、第２表示領域２ｂに未読メールの内容を表示する際、未読メールの内容の全てが第２表示領域２ｂに表示されるように文字のサイズを小さくしてもよい。
【００７９】
図１０は、ディスプレイ２の複数の表示領域における表示制御の第３の例を示す図である。図１０Ａに示すように、第３表示領域２ｃの右側の端部には、図８Ａと同様に、未読メールが１件あることを示すメールアイコンが表示されている。第３表示領域２ｃの左側の端部には、ゲームアプリケーションに対応付けられたアイコンであってアルファベットのＧを象ったゲームアイコンが表示されている。第３表示領域２ｃにおいてゲームアイコンと未読メールアイコンの間には、検索アプリケーションに対応付けられたアイコンであって虫眼鏡を象ったアイコンが表示されている。
【００８０】
そして、ユーザが、第３表示領域２ｃに表示されたゲームアイコンに対して、指で上面１Ｃを起点として正面１Ａに向かう方向にフリックを行っている。また、他のユーザ或いは同じユーザが、第３表示領域２ｃに表示されたメールアイコンに対して、指で上面１Ｃを起点として背面１Ｂに向かう方向にフリックを行っている。
【００８１】
それぞれフリックが行われると、図１０Ｂに示すように、第１表示領域２ａにはゲームアプリケーションの画面が表示され、一方、第２表示領域２ｂには未読メールの画面が表示される。
【００８２】
図１０におけるコントローラ１０の画面制御は、図８に示した第１の例及び図９に示した第２の例と同様である。ただし、図１０Ａにおける別個のフリックがほぼ同時に行われる場合がある。この場合、コントローラ１０は、例えば、タッチスクリーン２３を介して検出される別個のフリックのうち、上面１Ｃを起点として正面１Ａに向かう方向のフリックを優先し、第１表示領域２ａにゲーム画面を表示した後に第２表示領域２ｂに未読メール画面を表示してよい。
【００８３】
図１１は、ディスプレイ２の複数の表示領域における表示制御の第４の例を示す図である。図１１Ａ及び図１１Ｂに示すように、第３表示領域２ｃの右側の端部には、カメラアプリケーションに対応するカメラアイコンが表示されている。そして、このカメラアイコンに対して上面１Ｃを起点として正面１Ａに向かう方向のフリックが行われると、第１表示領域２ａにカメラのファインダー画面が表示される。一方、カメラアイコンに対して上面１Ｃを起点として背面１Ｂに向かう方向のフリックが行われると、第２表示領域２ｂにカメラのファインダー画面が表示される。
【００８４】
本実施形態の携帯電話１は、正面１Ａにカメラ１２を、背面１Ｂにカメラ１３を備えるため、図１１Ａに示す状態ではカメラ１３により撮像を行い、図１１Ｂに示す状態ではカメラ１２により撮像を行う。ところで、図１１Ａ及び図１１Ｂに示すように、携帯電話１は第１表示領域２ａ及び第２表示領域２ｂの双方をカメラのファインダーとして使用できる。よって、図１１Ａのように第１表示領域２ａをカメラのファインダーとして使用している場合には、背面１Ｂ側のタッチスクリーン２２を介してユーザのタップが検出されると、携帯電話１は撮影を行ってよい。反対に、携帯電話１は、図１１Ｂのように第２表示領域２ｂをカメラのファインダーとして使用している場合には、正面１Ａ側のタッチスクリーン２１を介してユーザのタップが検出されると、撮影を行ってよい。これにより、ユーザが片方の手で携帯電話１を把持している場合に、その把持している手の指でタッチスクリーン２１或いはタッチスクリーン２２をタップすることで、もう片方の手を使わずに撮影を行うことができ、使い勝手が向上する。
【００８５】
また、カメラ１４は背面１Ｂにおいてパネル２０ｂ（及び第２表示領域２ｂ）に隣接すると共に背面１Ｂの長手方向における中心付近に設けられている。これにより、ユーザが背面１Ｂ側を自身に向けてカメラ１４を用いて第２表示領域２ｂに映る自身の姿の撮影を試みる際に、自身の顔の正面にカメラ１４が位置し、ファインダーとなる第２表示領域２ｂを見て撮影を行うことができるため、さらに使い勝手が向上する。
【００８６】
次に、第３表示領域２ｃに対するジェスチャに応じた制御の例について、図１２及び図１３を用いて説明する。
【００８７】
図１２は、第３表示領域２ｃに対するジェスチャに応じた制御の第１の例を示す図である。図１２Ｂは、ユーザが電話アプリによって通話を行っている様子を示している。このとき、図１２Ａに示すように、ユーザが第３表示領域２ｃに対して左から右に向かう方向のスワイプを行っている。携帯電話１のコントローラ１０は、タッチスクリーン２３を介して第３表示領域２ｃに対して左から右に向かう方向のスワイプを検出すると、通話音量を相対的に大きくする。反対に、コントローラ１０は、タッチスクリーン２３を介して第３表示領域２ｃに対して右から左に向かう方向のスワイプを検出すると、通話音量を相対的に小さくする。
【００８８】
図１３は、第３表示領域２ｃに対するジェスチャに応じた制御の第２の例を示す図である。図１３Ａに示す状態においては、携帯電話１はロックされた状態である。そして、第３表示領域２ｃの中央部には、ロック解除アイコンが表示されている。そして、ユーザが、第３表示領域２ｃに表示されたロック解除アイコンに対して、指で上面１Ｃを起点として正面１Ａに向かう方向にフリックを行っている。携帯電話１のコントローラ１０は、ロック解除アイコンに対する上面１Ｃを起点として正面１Ａに向かう方向のフリックを検出すると、携帯電話１Ａのロックを解除し、正面１Ａ側の第１表示領域２ａにホーム画面を表示させる。
【００８９】
以上に述べたように、本実施形態に係る携帯電話１は、携帯電話の正面１Ａと背面１Ｂとをつなぐ上面１Ｂにタッチスクリーン２３を備え、このタッチスクリーン２３を介して上面１Ｃから正面１Ａに向かう方向のフリック（第１ジェスチャ）が検出されると、正面１Ａ側の第１表示領域２ａに当該フリックに応じた画面を表示し、上面１Ｃから背面１Ｂに向かう方向のフリック（第２ジェスチャ）が検出されると、背面１Ｂ側の第２表示領域２ｂに当該フリックに応じた画面を表示するため、携帯電話１の使い勝手が向上する。
【００９０】
また、本実施形態に係る携帯電話１は、携帯電話１の姿勢に応じて、第３表示領域２ｃの表示を制御する。これにより、筐体４０の上面１Ｃに設けられた第３表示領域２ｃの有効活用が図られる。
【００９１】
また、従来の携帯電話では、第１表示領域２ａにインジケータ領域が表示されていたが、本実施形態に係る携帯電話１では、携帯電話１の上面１Ｃに設けられる第３表示領域２ｃがインジケータ領域として用いられるため、第１表示領域２ａの有効活用が図られる。
【００９２】
上記の実施形態では、添付の請求項に係る装置の例として、携帯電話について説明したが、添付の請求項に係る装置は、携帯電話に限定されない。添付の請求項に係る装置は、携帯電話以外の電子機器であってもよい。電子機器は、例えば、タブレット、携帯型パソコン、デジタルカメラ、メディアプレイヤ、電子書籍リーダ、ナビゲータ、及びゲーム機を含むが、これらに限定されない。
【００９３】
上記の実施形態では、ディスプレイ２が可撓性を有する有機ＥＬディスプレイであり、第１表示領域２ａ、第２表示領域２ｂ及び第３表示領域２ｃを有する構成を例にとって説明を行ったが、これに限定されない。携帯電話１は、正面１Ａ、背面１Ｂ及び上面１Ｃにそれぞれ別個のディスプレイ（表示部）及びタッチスクリーンを備える構成であっても良い。
【００９４】
上記の実施形態では、第１表示領域２ａ、第２表示領域２ｂ及び第３表示領域２ｃにそれぞれ対応してタッチスクリーン２１、タッチスクリーン２２及びタッチスクリーン２３がそれぞれ配置される構成であったが、これに限定されない。上述した制御の例を実現するためには、携帯電話１は、正面１Ａに配置されるタッチスクリーン２１及び背面１Ｂに配置されるタッチスクリーン２２を備えていなくとも良いし、或いは、上面１Ｃに配置される第３表示領域２ｃを備えていなくとも良い。
【００９５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００９６】
本出願は、2013年2月21日出願の日本特許出願・出願番号2013-031990及び2013年2月21日出願の日本特許出願・出願番号2013-031991に基づくものであり、その内容はここに参照として取り込まれる。
【符号の説明】
【００９７】
１ 携帯電話
１Ａ 正面
１Ｂ 背面
１Ｃ 上面
２ ディスプレイ
２ａ 第１表示領域
２ｂ 第２表示領域
２ｃ 第３表示領域
４ 照度センサ
５ 近接センサ
６ 通信ユニット
７ 圧電素子
８ａ 第１マイク
８ｂ 第２マイク
９ ストレージ
９Ａ 制御プログラム
９Ｂ 通話アプリケーション
９Ｃ 音楽再生アプリケーション
９Ｄ 動画再生アプリケーション
９Ｚ 設定データ
１０ コントローラ
１２ カメラ
１３ 振動レシーバ
１４ カメラ
１５ 姿勢検出ユニット
１８ バイブレータ
２０ パネル
２１ タッチスクリーン
２２ タッチスクリーン
２３ タッチスクリーン
３０ 接合部材
３１ 補強部材
４０ 筐体
【図１】
2014129565.tif 000003
【図２】
2014129565.tif 000004
【図３】
2014129565.tif 000005
【図４】
2014129565.tif 000006
【図５】
2014129565.tif 000007
【図６】
2014129565.tif 000008
【図７】
2014129565.tif 000009
【図８】
2014129565.tif 000010
【図９】
2014129565.tif 000011
【図１０】
2014129565.tif 000012
【図１１】
2014129565.tif 000013
【図１２】
2014129565.tif 000014
【図１３】
2014129565.tif 000015
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
第１面と、第２面と、当該第１面及び当該第２面とをつなぐ第３面とを有する筐体と、
前記筐体の前記第３面に配置されるタッチスクリーンと、
前記筐体内に配置されるディスプレイであって、前記第１面で表示を行う第１表示領域及び前記第２面で表示を行う第２表示領域を有する少なくともひとつのディスプレイと、
前記第３面の前記タッチスクリーンで第１操作が検出されると、前記第２表示領域における表示の変更を行うことなく、当該第１操作に応じた画面を前記第１表示領域に表示し、前記第３面の前記タッチスクリーンで、前記第１操作と異なる第２操作が検出されると、前記第１表示領域における表示の変更を行うことなく、当該第２操作に応じた画面を前記第２表示領域に表示するコントローラと、を備える
装置。
【請求項２】
前記第１操作は、前記第３面から前記第１面に向かう第１ジェスチャ操作であって、
前記第２操作は、前記第３面から前記第２面に向かう第２ジェスチャ操作である、
請求項１に記載の装置。
【請求項３】
前記第１操作と前記第２操作は、前記タッチスクリーン上の同一のアイコンへの操作である、
請求項１又は２に記載の装置。
【請求項４】
前記コントローラは、前記第３面の前記タッチスクリーンでのスワイプ操作に応じて、通話音量を変更する、
請求項１から３の何れか一項に記載の装置。
【請求項５】
前記ディスプレイは、1つの可撓性ディスプレイであって、
前記可撓性ディスプレイは、前記第１表示領域と前記第２表示領域を備える、
請求項１から４の何れか一項に記載の装置。
【請求項６】
筐体と、
前記筐体に取り付けられるパネルであって、第１面と、当該第１面の大きさと異なる大きさの第２面と、当該第１面及び当該第２面とをつなぐ第３面とを有するパネルと、
前記パネルに取り付けられるディスプレイであって、前記第１面で表示を行う第１表示領域、前記第２面で表示を行う第２表示領域及び前記第３面で表示を行う第３表示領域を有するディスプレイと、
前記ディスプレイに取り付けられる圧電素子と、を備え、
前記パネルは、前記圧電素子の変形に起因して変形し、当該パネルに接触する対象物に人体振動音を伝える
装置。
【手続補正２】
【補正対象書類名】明細書
【補正対象項目名】０００７
【補正方法】変更
【補正の内容】
【０００７】
本発明の一態様に係る装置は、第１面と、第２面と、当該第１面及び当該第２面とをつなぐ第３面とを有する筐体と、
前記筐体の前記第３面に配置されるタッチスクリーンと、
前記筐体内に配置されるディスプレイであって、前記第１面で表示を行う第１表示領域及び前記第２面で表示を行う第２表示領域を有する少なくともひとつのディスプレイと、
前記第３面の前記タッチスクリーンで第１操作が検出されると、前記第２表示領域における表示の変更を行うことなく、当該第１操作に応じた画面を前記第１表示領域に表示し、前記第３面の前記タッチスクリーンで、前記第１操作と異なる第２操作が検出されると、前記第１表示領域における表示の変更を行うことなく、当該第２操作に応じた画面を前記第２表示領域に表示するコントローラと、を備える。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
筐体と、
前記筐体に取り付けられるパネルであって、第１面と、当該第１面の大きさと異なる大きさの第２面と、当該第１面及び当該第２面とをつなぐ第３面とを有するパネルと、
前記パネルに取り付けられるディスプレイであって、前記第１面で表示を行う第１表示領域、前記第２面で表示を行う第２表示領域及び前記第３面で表示を行う第３表示領域を有するディスプレイと、
前記ディスプレイに取り付けられる圧電素子と、を備え、
前記パネルは、前記圧電素子の変形に起因して変形し、当該パネルに接触する対象物に人体振動音を伝える。
【国際調査報告】
2014129565.tif 000016
2014129565.tif 000017
2014129565.tif 000018
2014129565.tif 000019
2014129565.tif 000020
2014129565.tif 000021
2014129565.tif 000022
2014129565.tif 000023